(57)【特許請求の範囲】
【請求項１】
ワイヤレス通信システムにおいて呼失敗指示を受信する時間を低減するための方法であって、
発信者ワイヤレス通信デバイスから、ターゲットワイヤレス通信デバイスとの呼を開始したいという要求を受信するステップと、
前記要求に対応する呼告知メッセージをネットワークノードに送信するステップと、
前記ネットワークノードから、前記ターゲットに対応する無線アクセスネットワークへの接続が前記ノードにないことを示すインターネット制御メッセージプロトコル(ICMP)メッセージを受信するステップと、
呼失敗を示すステータス障害メッセージを前記発信者に送信するステップと
を含む方法。
【請求項２】
前記ネットワークノードがパケットデータサービングノードを含む、請求項1に記載の方法。
【請求項３】
前記発信者デバイスおよび前記ターゲットデバイスがプッシュツートーク(PTT)デバイスを含む、請求項1に記載の方法。
【請求項４】
前記ターゲットデバイスが複数のターゲットデバイスを含む、請求項1に記載の方法。
【請求項５】
前記ノードに接続がないことを示す前記メッセージが、前記ノードにA10接続がないことを示すメッセージを含む、請求項1に記載の方法。
【請求項６】
前記ICMPメッセージが、インターネットプロトコルバージョン4のためのICMP(ICMPv4)メッセージとインターネットプロトコルバージョン6のためのICMP(ICMPv6)メッセージとを含むセットからの1つである、請求項1に記載の方法。
【請求項７】
前記呼がボイス呼を含む、請求項1に記載の方法。
【請求項８】
前記ワイヤレス通信システムがCDMA2000ネットワークを含む、請求項1に記載の方法。
【請求項９】
前記ステータス障害メッセージが制御チャネル上で送信される、請求項1に記載の方法。
【請求項１０】
前記ステータス障害メッセージは、前記呼が失敗した理由を含む、請求項1に記載の方法。
【請求項１１】
前記呼が失敗した前記理由は、前記ターゲットのためのPPP接続が存在しないことを含む、請求項10に記載の方法。
【請求項１２】
前記ICMPメッセージは、前記ネットワークノードが前記ターゲットのためのインターネットプロトコル(IP)アドレスを判断することができないという指示をさらに含む、請求項1に記載の方法。
【請求項１３】
ワイヤレス通信システムにおいて呼失敗指示を受信する時間を低減するためのシステムであって、
発信者ワイヤレス通信デバイスから、ターゲットワイヤレス通信デバイスとの呼を開始したいという要求を受信するための手段と、
前記要求に対応する呼告知メッセージをネットワークノードに送信するための手段と、
前記ネットワークノードから、前記ターゲットに対応する無線アクセスネットワークへの接続が前記ノードにないことを示すインターネット制御メッセージプロトコル(ICMP)メッセージを受信するための手段と、
呼失敗を示すステータス障害メッセージを前記発信者に送信するための手段と
を含むシステム。
【請求項１４】
前記ネットワークノードがパケットデータサービングノードを含む、請求項13に記載のシステム。
【請求項１５】
前記発信者デバイスおよび前記ターゲットデバイスがプッシュツートーク(PTT)デバイスを含む、請求項13に記載のシステム。
【請求項１６】
前記ターゲットデバイスが複数のターゲットデバイスを含む、請求項13に記載のシステム。
【請求項１７】
前記ノードに接続がないことを示す前記メッセージが、前記ノードにA10接続がないことを示すメッセージを含む、請求項13に記載のシステム。
【請求項１８】
前記ICMPメッセージが、インターネットプロトコルバージョン4のためのICMP(ICMPv4)メッセージとインターネットプロトコルバージョン6のためのICMP(ICMPv6)メッセージとを含むセットからの1つである、請求項13に記載のシステム。
【請求項１９】
前記呼がボイス呼を含む、請求項13に記載のシステム。
【請求項２０】
前記ワイヤレス通信システムがCDMA2000ネットワークを含む、請求項13に記載のシステム。
【請求項２１】
前記ステータス障害メッセージが制御チャネル上で送信される、請求項13に記載のシステム。
【請求項２２】
前記ステータス障害メッセージは、前記呼が失敗した理由を含む、請求項13に記載のシステム。
【請求項２３】
前記呼が失敗した前記理由は、前記ターゲットのためのPPP接続が存在しないことを含む、請求項22に記載のシステム。
【請求項２４】
前記ICMPメッセージは、前記ネットワークノードが前記ターゲットのためのインターネットプロトコル(IP)アドレスを判断することができないという指示をさらに含む、請求項13に記載のシステム。
【請求項２５】
発信者ワイヤレス通信デバイスから、ターゲットワイヤレス通信デバイスとの呼を開始したいという要求を受信するための命令のセットと、
前記要求に対応する呼告知メッセージをネットワークノードに送信するための命令のセットと、
前記ネットワークノードから、前記ターゲットに対応する無線アクセスネットワークへの接続が前記ノードにないことを示すインターネット制御メッセージプロトコル(ICMP)メッセージを受信するための命令のセットと、
呼失敗を示すステータス障害メッセージを前記発信者に送信するための命令のセットと
を含む、命令が実施されるコンピュータ可読媒体。
【請求項２６】
前記ネットワークノードがパケットデータサービングノードを含む、請求項25に記載のコンピュータ可読媒体。
【請求項２７】
前記発信者デバイスおよび前記ターゲットデバイスがプッシュツートーク(PTT)デバイスを含む、請求項25に記載のコンピュータ可読媒体。
【請求項２８】
前記ターゲットデバイスが複数のターゲットデバイスを含む、請求項25に記載のコンピュータ可読媒体。
【請求項２９】
前記ノードに接続がないことを示す前記メッセージが、前記ノードにA10接続がないことを示すメッセージを含む、請求項25に記載のコンピュータ可読媒体。
【請求項３０】
前記ICMPメッセージが、インターネットプロトコルバージョン4のためのICMP(ICMPv4)メッセージとインターネットプロトコルバージョン6のためのICMP(ICMPv6)メッセージとを含むセットからの1つである、請求項25に記載のコンピュータ可読媒体。
【請求項３１】
前記呼がボイス呼を含む、請求項25に記載のコンピュータ可読媒体。
【請求項３２】
前記ステータス障害メッセージが制御チャネル上で送信される、請求項25に記載のコンピュータ可読媒体。
【請求項３３】
前記ステータス障害メッセージは、前記呼が失敗した理由を含む、請求項25に記載のコンピュータ可読媒体。
【請求項３４】
前記呼が失敗した前記理由は、前記ターゲットのためのPPP接続が存在しないことを含む、請求項33に記載のコンピュータ可読媒体。
【請求項３５】
前記ICMPメッセージは、前記ネットワークノードが前記ターゲットのためのインターネットプロトコル(IP)アドレスを判断することができないという指示をさらに含む、請求項25に記載のコンピュータ可読媒体。
【請求項３６】
ワイヤレス通信システムにおいて呼失敗指示を受信する時間を低減するための装置であって、
プロセッサと、
前記プロセッサに結合されたメモリであって、前記メモリが、前記プロセッサに、
発信者ワイヤレス通信デバイスから、ターゲットワイヤレス通信デバイスとの呼を開始したいという要求を受信することと、
前記要求に対応する呼告知メッセージをネットワークノードに送信することと、
前記ネットワークノードから、前記ターゲットに対応する無線アクセスネットワークへの接続が前記ノードにないことを示すインターネット制御メッセージプロトコル(ICMP)メッセージを受信することと、
呼失敗を示すステータス障害メッセージを前記発信者に送信することと
を行わせる命令を記憶する、メモリと
を含む装置。
【請求項３７】
前記ネットワークノードがパケットデータサービングノードを含む、請求項36に記載の装置。
【請求項３８】
前記発信者デバイスおよび前記ターゲットデバイスがプッシュツートーク(PTT)デバイスを含む、請求項36に記載の装置。
【請求項３９】
前記ターゲットデバイスが複数のターゲットデバイスを含む、請求項36に記載の装置。
【請求項４０】
前記ノードに接続がないことを示す前記メッセージが、前記ノードにA10接続がないことを示すメッセージを含む、請求項36に記載の装置。
【請求項４１】
前記ICMPメッセージが、インターネットプロトコルバージョン4のためのICMP(ICMPv4)メッセージとインターネットプロトコルバージョン6のためのICMP(ICMPv6)メッセージとを含むセットからの1つである、請求項36に記載の装置。
【請求項４２】
前記呼がボイス呼を含む、請求項36に記載の装置。
【請求項４３】
前記ワイヤレス通信システムがCDMA2000ネットワークを含む、請求項36に記載の装置。
【請求項４４】
前記ステータス障害メッセージが制御チャネル上で送信される、請求項36に記載の装置。
【請求項４５】
前記ステータス障害メッセージは、前記呼が失敗した理由を含む、請求項36に記載の装置。
【請求項４６】
前記呼が失敗した前記理由は、前記ターゲットのためのPPP接続が存在しないことを含む、請求項45に記載の装置。
【請求項４７】
前記ICMPメッセージは、前記ネットワークノードが前記ターゲットのためのインターネットプロトコル(IP)アドレスを判断することができないという指示をさらに含む、請求項36に記載の装置。
【発明の詳細な説明】
【技術分野】
【０００１】
米国特許法第119条に基づく優先権の主張
本特許出願は、本出願の譲受人に譲渡され、参照により本明細書に明確に組み込まれる、2009年4月8日に出願された「REDUCING TIME FOR CALL FAILURE INDICATION WHERE TARGET DEVICE IS UNREACHABLE BUT STILL REGISTERED WITH THE ALL SERVER」と題する仮出願第61/167,697号の優先権を主張する。
【０００２】
本開示の態様は、ワイヤレス通信システムにおいて呼完了のパフォーマンスを測定することに関する。より詳細には、様々な実施形態は、プッシュツートークシステムなどのグループ通信ワイヤレス通信システムにおいてリアルタイムパフォーマンスおよび負荷統計を計算することを対象とする。
【背景技術】
【０００３】
関連技術の説明
セルラー電話、PDA、ミニラップトップ、および高度なページャなど、ワイヤレス電気通信デバイスでは、デバイスは、一般に、既存のセルラー電話網を介して電話通話をブリッジし、ネットワーク上でデータパケットを渡すことによって、長距離にわたって通信する。これらのワイヤレスデバイスは、変動するデータ処理能力および計算能力を有し、したがって、ボイスに加えてソフトウェアプログラムをワイヤレスネットワーク上で送信および受信することができる。
【０００４】
1つのワイヤレス電気通信サービスは、総称的に「プッシュツートークオーバーセルラー」(「PTT PoC」、「プッシュツートーク」、「PTT」)機能と呼ばれる1対1または1対多の高速通信を提供する。通信ワイヤレスデバイスのための受信者デバイスの特定のPTTグループは、通常、キャリアによってセットアップされる。PTT通信接続は、一般に、ワイヤレスデバイス上で1回ボタンを押して、話者とグループの各メンバーデバイスとの間の半二重リンクをアクティブにすることによって開始され、それによりワイヤレスデバイスは「フロア」上で話すことができるようになり、ボタンを放すと、フロアが解放され、ワイヤレスデバイスは着信PTT送信を受信することができるようになる。いくつかの構成では、PTT話者は、その話者が話している間は他のグループメンバーが話すことができない「フロア」を有することになる。話者がPTTボタンを放すと、グループの他のどの個々のメンバーも、自分のPTTボタンを操作することができ、フロアを有することになる。
【０００５】
PTT環境では、PTTサーバがターゲットクライアントにANNOUNCEメッセージを送信すると、パケットデータサービングノード(「PDSN」)は、ANNOUNCEメッセージを受信し、そのメッセージをターゲットクライアントのワイヤレス通信デバイスにルーティングする必要がある。ANNOUNCEメッセージを適切な無線アクセスネットワーク(「RAN」)にルーティングするために、PDSNは、RANとの確立されたA10接続を有しなければならない。PDSNは、RANとの確立されたA10接続を有することなしに、ターゲットデバイスのためのANNOUNCEメッセージを受信する可能性がある。これが起こり得るのは、RANまたはPDSNにおける内部の問題により、ターゲットクライアントデバイスのための、RANとPDSNとの間のA10接続またはポイントツーポイントプロトコル(「PPP」)接続が存在しないためである。現在のシステムでは、PDSNが告知メッセージをドロップし、PTTサーバがタイムアウトし、プリセットされた信頼性機構に従ってANNOUNCEメッセージを再送信し続ける。信頼性機構が完了した後、サーバは、呼を終了し、ターゲットデバイスに到達することができないことを示すSTATUS障害メッセージを事業者に送信する。この設計に関連するいくつかの問題があり得る。
【発明の概要】
【発明が解決しようとする課題】
【０００６】
第1に、現在のシステムは、ANNOUNCEメッセージを再試行するためにサーバリソースを浪費し得る。第2に、サーバは、信頼性機構を使い果たす前にSTATUS障害を送信しないので、現在のシステムは、発信ワイヤレス通信デバイスのための無線帯域幅リソースを浪費し得る。第3に、現在のシステムでは、STATUS障害の原因コードから、またはサーバログから、メッセージがターゲットRANに到達したかどうかを推測することができない。第4に、利用可能な唯一のログがクライアントログであるフィールドテストアクティビティ中に、失敗した呼試行の厳密な障害コードを知ることは非常に重要である。「ターゲット到達不可能」という一般的な失敗理由は、問題の根本原因を特定するのに役立たない。
【０００７】
したがって、発信ワイヤレス電気通信デバイスに呼障害メッセージを通信することに関係する速度を増加させ、リソースを最小限に抑える技法を有することは有益であろう。
【課題を解決するための手段】
【０００８】
一実施形態では、ネットワーク通信エンティティは、発信者ワイヤレス電気通信デバイスから、ターゲットワイヤレス電気通信デバイスとの呼を開始したいという要求を受信し得る。ネットワークエンティティは、要求に対応する呼告知メッセージをネットワークノードに送信し得る。ネットワークエンティティは、ネットワークノードから、ターゲットに対応する無線アクセスネットワークへの接続がそのノードにないことを示すインターネット制御メッセージプロトコル(ICMP)メッセージを受信し得る。ネットワークエンティティは、呼失敗を示すステータス障害メッセージを発信者に送信し得る。ネットワーク通信エンティティは、グループ通信サーバ、プッシュツートーク(PTT)サーバ、および/または呼サーバを含み得る。
【０００９】
添付の図面は、本発明の実施形態の説明を助けるために提示し、実施形態の限定ではなく例示のためのみに提供するものである。
【図面の簡単な説明】
【００１０】
【図１】ワイヤレス電気通信デバイスの指定されたPTTグループがワイヤレスネットワーク上でグループ通信サーバおよび他のコンピュータデバイスと通信する、ワイヤレスネットワークの代表図である。
【図２】グループ通信サーバにPTTグループメンバーのワイヤレス電気通信デバイス間の通信を制御させる、一般的なセルラー電気通信構成におけるワイヤレスネットワークの一実施形態の代表図である。
【図３】PTT機能をもつワイヤレス電気通信デバイスのコンピュータプラットフォームを示すブロック図である。
【図４】PTTクライアントとグループ向けメディアクライアントとをもつ、通信グループアプリケーションのソフトウェアレイヤの一実施形態を示す図である。
【図５】例示的なモバイル通信デバイスである。
【図６】本明細書で開示する実施形態のいくつかを組み込んだ例示的なプロセスを示す図である。
【図７Ａ】告知機構が失敗するのを待っているワイヤレス通信システムにおいて呼失敗指示を受信するための一般的な技法のコールフロー図である。
【図７Ｂ】ワイヤレス通信システムにおいて呼失敗指示を受信する時間を低減するためのコールフロー図である。
【図８】ワイヤレス通信システム内で使用するための例示的なグループ通信サーバを示すブロック図である。
【発明を実施するための形態】
【００１１】
本発明の特定の実施形態を対象とする以下の説明および関連する図面で本発明の態様を開示する。本発明の範囲から逸脱することなく代替実施形態を考案し得る。さらに、本発明の関連する詳細を不明瞭にしないように、本発明のよく知られている要素については詳細に説明しないか、または省略する。
【００１２】
「例示的」という単語は、本明細書では「例、事例、または例示の働きをすること」を意味するために使用する。本明細書で「例示的」と記載されたいかなる実施形態も、必ずしも他の実施形態よりも好ましいまたは有利であると解釈すべきではない。同様に、「本発明の実施形態」という用語は、本発明のすべての実施形態が論じられた特徴、利点または動作モードを含むことを必要としない。
【００１３】
本明細書では、「通信デバイス」、「ワイヤレスデバイス」、「ワイヤレス通信デバイス」、「PTT通信デバイス」、「ハンドヘルドデバイス」、「モバイルデバイス」、および「ハンドセット」という用語は、互換的に使用される。「呼」および「通信」という用語も互換的に使用される。本明細書で使用する「アプリケーション」という用語は、実行可能および非実行可能ソフトウェアファイル、生データ、集合体データ、パッチ、ならびに他のコードセグメントを包含するものである。「グループ通信」または「PTT呼」という用語は、真のまたは仮想半二重通信チャネルのいずれかにおけるポイントツーポイントまたはポイントツーマルチポイント半二重通信を意味する。
【００１４】
本明細書で使用する用語は、特定の実施形態を説明するためのものにすぎず、本発明の実施形態を限定するものではない。本明細書で使用する単数形「a」、「an」および「the」は、文脈が別段に明確に示すのでなければ、複数形をも含むものとする。さらに、本明細書で使用する「含む(comprises)」、「含んでいる(comprising)」、「含む(includes)」および/または「含んでいる(including)」という用語は、述べられた特徴、整数、ステップ、動作、要素、および/または構成要素の存在を明示するが、1つまたは複数の他の特徴、整数、ステップ、動作、要素、構成要素、および/またはそれらのグループの存在または追加を排除しないことを理解されたい。
【００１５】
さらに、多くの実施形態については、たとえば、コンピューティングデバイスの要素によって実行すべき一連のアクションに関して説明する。本明細書で説明する様々なアクションは、特定の回路(たとえば、特定用途向け集積回路(ASIC))によって、1つまたは複数のプロセッサによって実行されるプログラム命令によって、あるいは両方の組合せによって実行され得ることを認識されよう。さらに、本明細書で説明するこれらの一連のアクションは、実行時に、関連するプロセッサに本明細書で説明する機能を実行させるコンピュータ命令の対応するセットを記憶した任意の形式のコンピュータ可読記憶媒体内で全体として実施すべきものと見なすことができる。したがって、本発明の様々な態様は、すべてが請求する主題の範囲内に入ることが企図されているいくつかの異なる形式で実施され得る。さらに、本明細書で説明する実施形態ごとに、そのような実施形態の対応する形式を、たとえば、記載のアクションを実行する「ように構成された論理」として本明細書で説明することがある。
【００１６】
図1に、ワイヤレス電話14、スマートページャ16および携帯情報端末(PDA)18など、PTTグループ12中の1つまたは複数のワイヤレス電気通信デバイスの間でグループメディアをワイヤレスネットワーク20上で他のワイヤレス電気通信デバイスと共有するためのシステム10の一実施形態を示す。システム10では、各ワイヤレス電気通信デバイス14、16、18は、ワイヤレス通信ネットワーク20上で1つまたは複数の他の複数のワイヤレス電気通信デバイスのターゲットセットと選択的に直接通信することができる。たとえば、携帯電話14のターゲットセットは、通信グループ12中のすべてのデバイス、またはページャ16およびPDA18など、そのサブセットとすることができる。
【００１７】
この実施形態では、ワイヤレス電気通信デバイス(携帯電話14など)は、ワイヤレスネットワーク20上にワイヤレスデバイスが存在し、すなわちアクセス可能であることを示すために、少なくとも、ワイヤレスネットワーク20上のサーバ側LAN30上に存在し得る、ここではサーバ32として示されているグループ通信コンピュータデバイスに通知する。グループ通信コンピュータデバイス32は、この情報をワイヤレス電気通信デバイスによって示されるターゲットワイヤレス電気通信デバイスのセットと共有することができ、あるいはサーバ側LAN30上に常駐するかまたはワイヤレスネットワーク20上でアクセス可能な他のコンピュータデバイスと共有することもできる。グループ通信コンピュータデバイス32は、ワイヤレスデバイスのグループ識別データを記憶する付属のまたはアクセス可能なデータベース34を有することができる。ここではファイル管理サーバとして示されているデータストア36もサーバ側LAN30上にある。サーバ側LAN30上、またはワイヤレスネットワーク20上、またはインターネット全体に常駐するコンピュータ構成要素の数は限定されないことを諒解されたい。
【００１８】
PTT通信などの直接通信は、通信ワイヤレス電気通信デバイス14、16、18とターゲットセットの1つまたは複数の他のワイヤレス電気通信デバイスとの間の半二重チャネルを介して確立され得る。また、ターゲットセットのワイヤレス電気通信デバイスのうちの少なくとも1つがワイヤレスネットワーク20上のそれらの存在をグループ通信コンピュータデバイス32に通知した場合、グループ通信コンピュータデバイス32はターゲットセットとの要求された直接通信をブリッジしようと試みることができる。
【００１９】
グループ通信コンピュータデバイス32はまた、ターゲットセットのすべて(または少なくとも1つ)のワイヤレス電気通信デバイスがワイヤレスネットワーク20上のそれらの存在をグループ通信コンピュータデバイス32に通知していないときに、ターゲットセット12への直接通信をブリッジすることができないことをワイヤレス電気通信デバイス14、16、18に通知することができる。さらに、グループ通信コンピュータデバイス32は、ここではグループ識別データの付属データベース34を有するものとして示されているが、グループ通信コンピュータデバイス32は、常駐するグループ識別データを有し、本明細書で説明するすべての記憶機能を実行することができる。
【００２０】
概観では、システム10は、ワイヤレス通信ネットワーク20上でのグループ通信において互いに通信するワイヤレス通信デバイスの通信グループ12のメンバーである、携帯電話14など、少なくとも1つのワイヤレス通信デバイスを含む。ワイヤレス通信デバイスはまた、ボイスまたは他のデータなどのグループ向けメディアを通信グループ12の他のメンバーに選択的に送信するように構成され得る。少なくとも1つのグループ通信コンピュータデバイス32はワイヤレス通信ネットワーク20上の通信グループ12についての情報を記憶するように構成され得、その情報は、1つまたは複数の通信グループの特定のメンバーワイヤレス通信デバイスの識別情報を含む。グループ通信コンピュータデバイス32は、さらに、通信グループ12の携帯電話14などの送信側ワイヤレス通信デバイスからグループ向けメディアを選択的に受信し、送信側ワイヤレス通信デバイスの通信グループ12の他のメンバーワイヤレス通信デバイスにグループ向けメディアを送信するように構成され得る。システム10は、アクセスおよび記憶の目的で、グループ通信サーバ32と通信しているデータストア36をさらに含むことができる。
【００２１】
ワイヤレス通信デバイス14、16、18は、グループ向けメディアの送信を要求するときに、通信グループ識別データ、たとえば、ターゲットリストをグループ通信コンピュータデバイス32に送信することができ、したがって、グループ通信デバイス32は、本明細書でさらに論じるように、様々な基準に基づいて通信グループ識別データ中で識別されたメンバーワイヤレス通信デバイスにグループ向けメディアを送信または記憶し得る。あるいは、ワイヤレス通信デバイス14、16、18は、グループ向けメディアを送信する前に、グループ通信コンピュータデバイス32に通信グループ12のメンバーデータを要求することができ、グループ通信コンピュータデバイス32はワイヤレス通信デバイス14、16、18に1つまたは複数のアドレスまたは通信グループアドレスを送信することができる。
【００２２】
図2は、PTTシステムにおけるセットグループメンバー(デバイス70、72、74、76)のワイヤレス電気通信デバイス間の通信を制御する一連のグループ通信コンピュータデバイス(グループ通信サーバ)32を有する、一般的なセルラー通信構成におけるワイヤレスネットワークの一実施形態の代表図である。このワイヤレスネットワークは、例示的なものにすぎず、リモートモジュールが互いの間および中で、ならびに/あるいは、限定はしないが、ワイヤレスネットワークキャリアおよび/またはサーバを含むワイヤレスネットワーク20の構成要素の間および中で、無線で通信するための任意のシステムを含むことができる。一連のグループ通信サーバ32はグループ通信サーバLAN50に接続され得る。ワイヤレス電話は、データサービスオプションを使用してグループ通信サーバ32にパケットデータセッションを要求することができる。
【００２３】
グループ通信サーバ32は、ここではキャリアネットワーク54上に常駐するものとして示されているPDSN52など、ワイヤレスサービスプロバイダのパケットデータサービスノード(PDSN)に接続される。各PDSN52は、パケット制御機能(PCF)62を介して基地局60の基地局コントローラ64とインターフェースすることができる。PCF62は一般に基地局60中に位置する。キャリアネットワーク54は、メッセージングサービスコントローラ(「MSC」)58に送られる(一般にデータパケットの形態の)メッセージを制御する。キャリアネットワーク54は、ネットワーク、インターネットおよび/またはPOTS(「旧式電話システム(plain ordinary telephone system)」)によってMSC58と通信する。一般に、キャリアネットワーク54とMSC58との間のネットワークまたはインターネット接続はデータを転送し、POTSはボイス情報を転送する。MSC58は1つまたは複数の基地局60に接続され得る。キャリアネットワークと同様の方法で、MSC58は、一般に、データ転送用のネットワークおよび/またはインターネットとボイス情報用のPOTSとの両方によってブランチツーソース(branch-to-source)(BTS)66に接続される。BTS66は、最終的に、ショートメッセージサービス(「SMS」)、または当技術分野で知られている他の無線方法によって、メッセージをセルラー電話70、72、74、76などのワイヤレスデバイスにワイヤレスでブロードキャストし、ワイヤレスデバイスからメッセージを受信する。また、本明細書で説明するように、キャリア境界および/またはPTT事業者ネットワーク境界はデータの共有を抑止または禁止しないことに留意されたい。
【００２４】
ワイヤレス電話14などのセルラー電話およびモバイル電気通信デバイスは、計算能力の向上を伴いながら製造されており、パーソナルコンピュータおよびハンドヘルドPDAと同様になりつつある。これらの「スマート」なセルラー電話は、ソフトウェア開発者が、ワイヤレスデバイスのプロセッサ上でダウンロード可能および実行可能であるソフトウェアアプリケーションを作成することを可能にする。セルラー電話14などのワイヤレスデバイスは、ウェブベージ、アプレット、MIDlet、ゲームおよびデータなど、多数のタイプのアプリケーションをダウンロードすることができる。通信グループ12(図1)を指定したワイヤレスデバイスでは、ワイヤレス電気通信デバイスは、セットの他のメンバーと直接接続することができ、ボイスおよびデータ通信に関与することができる。しかしながら、すべてのそのような直接通信はグループ通信コンピュータデバイス32を介してまたはその制御下で行われる。デバイスのすべてのデータパケットが必ずしもグループ通信コンピュータデバイス32自体を介する必要はないが、グループ通信コンピュータデバイス32は、一般に、通信グループのメンバーの識別情報を認識しており、および/または検索することができる、すなわち通信グループ12のメンバーの識別情報を別のコンピュータデバイスに向けることができる唯一のサーバ側30の構成要素であるので、最終的に通信を制御することができなければならない。
【００２５】
図3は、デバイスのターゲットセット、すなわち通信グループ12の他のメンバーへの直接通信を開くPTTボタン78をもつ携帯電話14であるワイヤレス電気通信デバイスの一実施形態を示すブロック図である。ワイヤレスデバイス14はまた、ワイヤレスデバイス14のユーザに対するグラフィックディスプレイ80を有するものとして示されている。ワイヤレスデバイス14は、ボイスおよびデータパケットを処理することができ、グループ向けメディアを含めるためにワイヤレスネットワーク20上で送信されるソフトウェアアプリケーションを受信し、実行することができるコンピュータプラットフォーム82を含む。コンピュータプラットフォーム82は、構成要素の中でも、特定用途向け集積回路(「ASIC」)84、または他のプロセッサ、マイクロプロセッサ、論理回路、プログラマブルゲートアレイ、または他のデータ処理デバイスを含む。ASIC84は、ワイヤレスデバイスの製造時に取り付けられ、通常アップグレード可能ではない。ASIC84または他のプロセッサはアプリケーションプログラミングインターフェース(「API」)レイヤ86を実行し、APIレイヤは常駐アプリケーション環境を含み、ASIC84上にロードされるオペレーティングシステムを含むことができる。常駐アプリケーション環境は、ワイヤレスデバイスのメモリ88中の任意の常駐プログラムとインターフェースする。常駐アプリケーション環境の一例は、QUALCOMM(登録商標)によって開発されたワイヤレスデバイスプラットフォーム用の「Binary Runtime Environment for Wireless」(BREW)ソフトウェアである。
【００２６】
ここで示すように、ワイヤレスデバイスは、グラフィックディスプレイ80をもつ携帯電話14であり得るが、携帯情報端末(PDA)、グラフィックディスプレイ80をもつページャ、さらにはワイヤレス通信ポータルを有し、場合によってはネットワークまたはインターネットへのワイヤード接続を有し得る別個のコンピュータプラットフォーム82など、当技術分野で知られているコンピュータプラットフォーム82をもつ任意のワイヤレスデバイスでもあり得る。さらに、メモリ88は、読取り専用メモリまたはランダムアクセスメモリ(RAMおよびROM)、EPROM、EEPROM、フラッシュカード、またはコンピュータプラットフォームに共通の任意のメモリからなることができる。コンピュータプラットフォーム82は、メモリ88中でアクティブに使用されないソフトウェアアプリケーションの記憶用のローカルデータベース90を含むこともできる。ローカルデータベース90は、一般に1つまたは複数のフラッシュメモリセルから構成されるが、磁気媒体、EPROM、EEPROM、光学媒体、テープ、またはソフトもしくはハードディスクなど、当技術分野で知られている任意の2次または3次記憶デバイスであり得る。グラフィックディスプレイ80は、本明細書でより十分に説明するように、ファイルプレビューを含めるために、進行中のグループ呼出しに関する情報だけでなく、グループ向けメディアの情報も提示することができる。
【００２７】
ワイヤレスデバイスのこの実施形態では、コンピュータプラットフォーム82はまた、ワイヤレスデバイスからグループ通信チャネルを開くことができるグループ通信インターフェース92を含む。グループ通信インターフェース92はまた、ワイヤレスデバイス間で送信されるボイスおよびデータを通常搬送するワイヤレスデバイスのための標準通信インターフェースの一部であり得る。グループ通信インターフェース92は、一般に、当技術分野で知られているハードウェアからなる。
【００２８】
図4は、PTT機能とグループ向けメディア機能とをもつ、グループアプリケーションクライアントのソフトウェアレイヤの一実施形態の図である。この実施形態では、モバイルデバイス環境におけるコンピュータプラットフォーム82は、移動局モデム(MSM)100の上に展開される一連のソフトウェア「レイヤ」からなり、QUALCOMMによって開発されたAdvanced Mobile Subscriber Software(AMSS)102は、基礎的なMSMチップセットを駆動し、CDMA2000 1XとCDMA2000 1xEV-DOを含むCDMA通信技術のスイート全体のためのソフトウェアプロトコルスタックを実装する。モバイルオペレーティングシステムレイヤ104があり、これは、この実施形態では、同じくQUALCOMMによって開発されたBREW(登録商標)である。モバイルオペレーティングシステムレイヤ104のアプリケーションプログラミングは、AMSS102とコンピュータプラットフォーム上のOEMソフトウェアとへの直接接触をなくす隔離レイヤを与えながら、チップまたはデバイス固有の動作のためにインターフェースする。モバイルオペレーティングシステムレイヤ104は、デバイス固有のソフトウェアの新しいリリースが公開されるたびにアプリケーションを書き直す必要なしに、モバイルデバイスの機能を使用するアプリケーション開発を可能にする。
【００２９】
PTTクライアント108は、ここではPTT認識UI106で示されている外部インターフェースを介してPTTサービスへのアクセスを提供するアプリケーションである。PTTクライアントは、グループメディアクライアント110など、モバイルオペレーティングシステム104のアプリケーションを使用可能にするために必要とされるすべての機能を含む。PTTクライアント108を用いたPTTサービスへのアクセスを与えることに加えて、PTTクライアント108は、好ましくは、すべてのPTT認識アプリケーションとグループ通信コンピュータデバイスへのインターフェース102との間の隔離レイヤとして働く。この実施形態では、PTTクライアント108は、PTTサービスへのアクセスを維持し、グループ通信要求に応答し、PTTサービスのためのすべてのPTT認識モバイルオペレーティングシステムのアプリケーション要求を処理し、すべての発信PTT要求を処理し、発信PTTトークスパートのボコーダパケットを収集およびパッケージングし、終了したPTTトークスパートのボコーダデータのパケットをパースする。
【００３０】
グループメディアクライアント110は、旧来の半二重ボイス通信(VoIP-PTTメディア)以外のメディアタイプへのアクセスのためにPTTサービスを拡張するモバイルオペレーティングシステムベースのアプリケーションである。グループメディアクライアント110は、一実施形態では別個のAPIである、グループメディア認識APIなどの外部インターフェースを介してグループメディアサービスへのアクセスを与える。グループメディア認識UIは、専らモバイルオペレーティングシステムベースのアプリケーションとして開発されるか、またはAMSS102インターフェースと組み合わせて使用されるアプリケーションである。グループメディア認識UIは、他の常駐PTTおよびグループメディアアプリケーション112からのAPIなど、適切なAPIを呼び出すことによってグループ向けメディアサービスへのユーザ要求に応答する。グループメディアクライアント110は、ユーザからの要求を処理し、グループ向けメディア要求の結果をユーザに通知する。ユーザはまた、ファイル管理サーバ(データストア36)からダウンロードすべきファイルがあることを示す着信通知の処理方法を指定する設定をグループメディアクライアント110上に有することができる。たとえば、グループメディアクライアント110は、直ちにファイルダウンロードを開始させるか、またはファイルをダウンロードすべきかどうかを決定するようターゲットユーザに促させることを選ぶことができる。
【００３１】
図5を参照すると、例示的なモバイル通信デバイス500、特に、デバイスのためのユーザインターフェースが示されている。デバイスは、一般に、LCDまたはOLEDディスプレイを含み得るディスプレイ505を含む。いくつかの実施形態では、ディスプレイはタッチスクリーン機能を含み得る。デバイスは、標準フォンキーパッドであり得、または他の実施形態ではQWERTYキーパッドであり得る、キーパッド515を含み得る。デバイスはまた、ディスプレイ505をナビゲートするための上キー、下キー、左キー、および右キーをさらに含み得る、ナビゲーションボタン510を含み得る。ナビゲーションキーは、特定の機能についてのユーザの選択または承認を示す選択またはOKキー550をさらに含み得る。デバイスはまた、プログラマブルであり、ディスプレイ505の、ソフトキーに近いエリアに示される機能を選択するために使用される、ソフトキー507を含み得る。
【００３２】
図5を参照すると、一実施形態では、デバイスは、キーパッド515、ナビゲーションボタン510、またはOKキー550から1つまたは複数のボタンを照明し得る。ボタンは、特定の色で安定して照明し得るか、あるいは点滅し得るか、あるいは所与の機能を示すようにデバイスにおいてまたはユーザによって構成された任意の他の方法で照明し得る。
【００３３】
図6に、ワイヤレス通信システム10において呼失敗指示を受信する時間を低減する実施形態の一部を組み込んだ例示的なプロセスを示す。一実施形態では、ワイヤレス通信システムはCDMA2000ネットワークを含み得る。プロセスは、ターゲットワイヤレス通信デバイスとの呼を開始したいという要求を発信者ワイヤレス通信デバイス14からグループ通信サーバ32において受信するステップ(602)で開始し得る。発信者デバイスおよびターゲットデバイスはプッシュツートーク(PTT)デバイスを含む。それらは、ボイスPTT呼に関与している複数のターゲットワイヤレス通信デバイスであり得る。プロセスは、要求に対応する呼告知メッセージをネットワークノードに送信するステップ(604)を続ける。一実施形態では、ネットワークノードはパケットデータサービングノード52を含む。
【００３４】
プロセスは、ステップ606に示すように、ネットワークノードから、ターゲットデバイスに対応する無線アクセスネットワークへの接続がノードにないことを示すインターネット制御メッセージプロトコル(「ICMP」)メッセージを受信するステップを続け得る。現在、UTSTARCOM(商標)によって製造されたPDSNなど、様々なPDSN52がICMPメッセージをサポートしている。一実施形態では、ノードに接続がないことを示すメッセージは、ノードにA10接続がないことを示すメッセージを含む。ICMPメッセージは、インターネットプロトコルバージョン4のためのICMP(ICMPv4)メッセージとインターネットプロトコルバージョン6のためのICMP(ICMPv6)メッセージとを含むセットからの1つであり得る。一実施形態では、ICMPメッセージは、ネットワークノードがターゲットのためのインターネットプロトコル(IP)アドレスを判断することができないという指示をさらに含む。一実施形態では、PDSN52は、「ターゲットのためのPPP接続が存在しない」など、有意味なエラーコードを返すように、そのオフザシェルフ型（off-the-shelf form）から変更されている。
【００３５】
プロセスは、ステップ608に示すように、呼失敗を示すステータス障害メッセージをターゲットデバイスに送信するステップを続け得る。ステータス障害メッセージは制御チャネル上で送信され得る。一実施形態では、「ターゲットのためのPPP接続が存在しない」という指示など、ステータス障害メッセージは、呼が失敗した1つまたは複数の理由を示す。エラーは、一般に、ソフトウェアクラッシュの後など、PDSN52が最近再起動した状況、またはターゲットワイヤレスデバイスが電力を失った状況において観測される。これらは、サーバはターゲットのための(PDSN52を介した)IP接続が失われたことを知らないが、PDSNはこのことに気づいている状況につながり得る。
【００３６】
図7Aに、ワイヤレス通信システムにおいて呼失敗指示を受信するための従来技術の技法のコールフロー図を示す。この図では、時間は上から下に流れているので、図の上部近くで発生しているイベントは、図の下部近くで発生しているイベントの前に発生している。一実施形態では、発信ワイヤレス通信デバイス702は、第1のPDSN704を通して、ターゲット710に宛てられたCALL要求メッセージをグループ通信サーバ706に送信し得、このメッセージは、発信者702からサーバ706に渡るのに時間「t1」を要する。グループ通信サーバ706は、このメッセージを受信し、次いで、信頼性機構に従ってANNOUNCEメッセージを第2のPDSN708に送信し、グループ通信サーバ706は、第2のPDSN708から対応するメッセージを受信しない場合、ANNOUNCEメッセージを再試行する。この実施形態では、第2のPDSN708が、ANNOUNCEメッセージをフォワーディングするために適切なRANとのA10接続を有しない場合、第2のPDSN708は告知メッセージをフォワーディングせず、グループ通信サーバ706にもメッセージを送信しない。
【００３７】
ここでは、たとえば740msであり得る、指定されたタイムアウト期間が経過した後に、サーバ706は第2のPDSN708に第2のANNOUNCEメッセージを送信する。各タイムアウト期間が経過すると、グループ通信サーバ706は、現在の総再試行回数が4回(最初のANNOUNCEメッセージを含めると合計5回)に達するまで、別のANNOUNCEメッセージを送信する。最後のANNOUNCEメッセージがタイムアウトすると、グループ通信サーバ706は、発信者702にSTATUS障害メッセージを送信し、これは、サーバ706から発信者702に渡るのに時間「t2」を要する。
【００３８】
この技法は、動作するために、t1と、t2と、たとえば3700ms(740ms×5)との和に等しい時間期間を要し得る。t1およびt2が瞬時である場合(2つの和は一般に150msよりもやや小さい)でも、プッシュツートーク環境が一般にその長さの数分の1の数倍を扱うときは、時間期間は依然として3秒を超える。
【００３９】
図7Bに、ワイヤレス通信システム10において呼失敗指示を受信する時間を低減するためのコールフロー図を示す。この図では、時間は上から下に流れているので、図の上部近くで発生しているイベントは、図の下部近くで発生しているイベントの前に発生している。一実施形態では、発信ワイヤレス通信デバイス802は、第1のPDSN804を通して、CALL要求メッセージをグループ通信サーバ806に送信し得、このメッセージは、発信者からサーバ806に渡るのに時間「t1」を要する。この時間期間は、図7Aのシステム中の対応する時間期間に等しい。グループ通信サーバ806は、このメッセージを受信し、対応するANNOUNCEメッセージを第2のPDSN808に送信する。この実施形態では、第2のPDSN808が、ANNOUNCEメッセージをフォワーディングするために適切なRANとのA10接続を有しない場合、第2のPDSN808は告知メッセージをフォワーディングしないことがあり、ICMPエラーメッセージをグループ通信サーバ806に直ちに送信する。グループ通信サーバがANNOUNCEメッセージを送信してからICMPエラーメッセージを受信するまでのこの時間期間は、ネットワーク輻輳などのファクタに依存するが、一般に約30ms間持続する。ICMPエラーメッセージを受信すると、グループ通信サーバ806は、第1のPDSN804を通して発信者802に、対応するSTATUS障害メッセージを送信し、これは、サーバ806から発信者802に渡るのに時間「t2」を要する。
【００４０】
この技法は、動作するために、t1と、t2と、たとえば30msとの和に等しい時間期間を要し得る。図7Aの従来技術の技法によって必要とされるt1と、t2と、3700msとの和に比較して、これは3秒を超える節約であり、プッシュツートークシステムなどの低レイテンシ環境において非常に有意である。
【００４１】
図8は、(「PTTサーバ」および/または「呼サーバ」でもあり得る)グループ通信サーバ800の例示的な一実施形態を示すブロック図である。代替的に、本明細書では、グループ通信サーバ800は、図2に示すグループ通信サーバ32と呼ばれることもある。グループ通信サーバ800は、その機能について上記で説明した、サーバ側LAN30上に存在し得る個別のデバイスであり得る。簡単のために、図8のブロック図に示される様々な特徴および機能は、これらの様々な特徴および機能が動作可能に互いに結合されることを表すようになされた共通バスを使用して互いに接続される。他の接続、機構、特徴、機能などが提供され、必要に応じて、実際のポータブルワイヤレスデバイスを動作可能に結合し、構成するように適合され得ることを当業者なら認識されよう。さらに、図8の例に示される特徴または機能のうちの1つまたは複数がさらに再分割され得、あるいは図8に示される特徴または機能のうちの2つ以上が結合され得ることも認識されたい。
【００４２】
グループ通信サーバ800は、サーバ側LANを介して通信するための、ワイヤードおよび/またはワイヤレスであり得るネットワークインターフェース805を含み得る。プロセッサ810は、ネットワークインターフェース805、ユーザインターフェース815およびメモリ820に接続され得る。プロセッサ810は、1つまたは複数のマイクロプロセッサ、マイクロコントローラ、および/または処理機能、ならびに他の計算および制御機能を提供するデジタル信号プロセッサを含み得る。プロセッサ810は、プログラムされた機能を実行するためのデータおよび/またはソフトウェア命令を読み取る/書き込むために、メモリ820にアクセスする。メモリ820はプロセッサ810上に(たとえば、同じICパッケージ内に)搭載され得、および/またはこのメモリは、プロセッサの外部メモリであり、データバスを介して機能的に結合され得る。
【００４３】
いくつかのソフトウェアモジュールおよび/またはデータテーブルは、メモリ820中に常駐し得、上記で説明した機能を含むPTT機能を管理するために、プロセッサ810によって利用され得る。ここで示すように、メモリ820内で、グループ通信サーバ800は、グループ通信管理およびインターフェースモジュール830をさらに含み得るかまたは提供し得る。ソフトウェアモジュール830はこの例ではメモリ820中に含まれているものとして示されているが、いくつかの実装形態では、そのようなプロシージャは、他のまたは追加の機構のために提供され得、または場合によっては他のまたは追加の機構を使用して動作可能に配置され得ることを認識されたい。たとえば、ソフトウェアモジュール830はファームウェアで提供され得る。さらに、図8では、説明の容易のために、ソフトウェアモジュール830は単一の別個のエンティティとして示されているが、示されていない複数のモジュールを含み得るか、または様々な手順のグループにさらに区分され得ることを理解されたい。
【００４４】
情報および信号は、多種多様な技術および技法のいずれかを使用して表すことができることを当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００４５】
さらに、本明細書で開示した実施形態に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本発明の範囲からの逸脱を生じるものと解釈すべきではない。
【００４６】
本明細書で開示した実施形態と関連して説明した方法、シーケンス、および/またはアルゴリズムは、ハードウェアで、プロセッサによって実行されるソフトウェアモジュールで、またはその2つの組合せで直接実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサと一体であり得る。
【００４７】
したがって、本発明の一実施形態は、発信者ワイヤレス通信デバイスから、ターゲットワイヤレス通信デバイスとの呼を開始したいという要求を受信し、要求に対応する呼告知メッセージをネットワークノードに送信するための方法を実施するコンピュータ可読媒体を含むことができる。実施された方法は、ネットワークノードから、ターゲットに対応する無線アクセスネットワークへの接続がノードにないことを示すインターネット制御メッセージプロトコル(ICMP)メッセージを受信するステップと、呼失敗を示すステータス障害メッセージを発信者に送信するステップとをさらに含み得る。したがって、本発明は図示の例に限定されず、本明細書で説明した機能を実行するためのいかなる手段も本発明の実施形態中に含まれる。
【００４８】
上記の開示は本発明の例示的な実施形態を示すが、添付の特許請求の範囲によって規定される本発明の範囲から逸脱することなく本明細書において様々な変更および修正を行うことができることに留意されたい。本明細書で説明した本発明の実施形態による方法クレームの機能、ステップおよび/またはアクションを特定の順序で実行しなくてもよい。さらに、本発明の要素は、単数形で説明または請求されていることがあるが、単数形に限定することが明示的に述べられていない限り、複数形が企図される。
【符号の説明】
【００４９】
10  システム
12  PTTグループ
12  通信グループ
12  ターゲットセット
14  ワイヤレス電気通信デバイス
14  携帯電話
16  スマートページャ
16  ワイヤレス電気通信デバイス
18  携帯情報端末(PDA)
18  ワイヤレス電気通信デバイス
20  ワイヤレス通信ネットワーク
30  サーバ側LAN
32  サーバ
32  グループ通信コンピュータデバイス
34  データベース
36  データストア
50  グループ通信サーバLAN
52  ワイヤレスサービスプロバイダのパケットデータサービスノード(PDSN)
54  キャリアネットワーク
58  メッセージングサービスコントローラ(「MSC」)
60  基地局
62  パケット制御機能(PCF)
64  基地局コントローラ
66  ブランチツーソース(BTS)
70  セルラー電話
70  ワイヤレスデバイス
72  セルラー電話
72  ワイヤレスデバイス
74  セルラー電話
74  ワイヤレスデバイス
76  セルラー電話
76  ワイヤレスデバイス
78  PTTボタン
80  グラフィックディスプレイ
82  コンピュータプラットフォーム
84  特定用途向け集積回路(「ASIC」)
86  アプリケーションプログラミングインターフェース(「API」)レイヤ
88  メモリ
90  ローカルデータベース
92  グループ通信インターフェース
100  移動局モデム(MSM)
102  Advanced Mobile Subscriber Software(AMSS)
104  モバイルオペレーティングシステムレイヤ
106  PTT認識UI
108  PTTクライアント
110  グループメディアクライアント
112  他の常駐PTTおよびグループメディアアプリケーション
500  モバイル通信デバイス
505  ディスプレイ
507  ソフトキー
510  ナビゲーションボタン
515  キーパッド
550  選択またはOKキー
702  発信ワイヤレス通信デバイス
704  第1のPDSN
706  グループ通信サーバ
708  第2のPDSN
710  ターゲット
800  グループ通信サーバ
802  発信ワイヤレス通信デバイス
804  第1のPDSN
805  ネットワークインターフェース
806  グループ通信サーバ
808  第2のPDSN
810  プロセッサ
815  ユーザインターフェース
820  メモリ
830  インターフェースモジュール
【図１】
0005230840.tif 000002
【図２】
0005230840.tif 000003
【図３】
0005230840.tif 000004
【図４】
0005230840.tif 000005
【図５】
0005230840.tif 000006
【図６】
0005230840.tif 000007
【図７Ａ】
0005230840.tif 000008
【図７Ｂ】
0005230840.tif 000009
【図８】
0005230840.tif 000010